(57)【要約】【課題】  利用者が有する服飾品および装飾品とのコーディネートを可能とし、コーディネートした全体画像を閲覧することを可能にする。【解決手段】  利用者１０の携帯情報通信端末９または情報通信端末１１は、所有する服飾品や装飾品のデータを服飾メーカのＤＢまたはサービス提供事業者１のサーバシステム６の個人情報ＤＢ４にアップロードし、上記ＤＢにアクセスし、所有する服飾品または装飾品の画像を読み出し、服飾メーカまたは小売店舗またはＥＣサイトの服飾品画像または装飾品画像をキーワード検索により収集する。サーバシステム６（マッチングソフト５）は、利用者が所有する服飾品または装飾品の画像と服飾メーカまたは小売店舗またはＥＣサイトの服飾品画像または装飾品画像とをコーディネートし、携帯情報通信端末または情報通信端末にダウンロードする。【選択図】      図１
2005133228.tif 000002
【特許請求の範囲】
【請求項１】
服飾メーカのサーバと、服飾メーカのＤＢ（Data Base）と、サービス提供事業者のサーバシステムと、小売店舗のＤＢと、利用者の携帯情報通信端末または情報通信端末とを使用するモバイルコーディネートサービス方法であって、
前記利用者の携帯情報通信端末または情報通信端末を用いて、当該利用者が所有する服飾品データまたは装飾品データを前記服飾メーカのＤＢまたは前記サービス提供事業者が有する該サーバシステムの個人情報ＤＢにアップロードするステップと、
前記携帯情報通信端末または該情報通信端末から前記服飾メーカのＤＢまたは前記サーバシステムの個人情報ＤＢにアクセスし、当該利用者が所有する服飾品または装飾品の画像を読み出すとともに、前記服飾メーカまたは小売店舗またはＥＣサイトの服飾品画像または装飾品画像をメタデータに基づくキーワード検索により収集するステップと、
前記サービス提供事業者が有する該サーバシステムにおいて、前記読み出した利用者が所有する服飾品または装飾品の画像と、前記収集した服飾メーカまたは小売店舗またはＥＣ（Electronic Commerce）サイトの服飾品画像または装飾品画像とをコーディネートするステップと、
前記サービス提供事業者のサーバシステムから前記コーディネートした服飾品または装飾品の画像情報を前記携帯情報通信端末または該情報通信端末にダウンロードするステップとを有することを特徴とするモバイルコーディネートサービス方法。
【請求項２】
請求項１記載のモバイルコーディネートサービス方法において、さらに、
前記携帯情報通信端末または該情報通信端末から前記服飾メーカのＤＢまたは前記サーバシステムの個人情報ＤＢにアクセスし、当該利用者が所有する服飾品または装飾品の画像を読み出して表示するステップを有することを特徴とするモバイルコーディネートサービス方法。
【請求項３】
請求項１または２記載のモバイルコーディネートサービス方法において、さらに、
前記服飾メーカまたは前記小売店舗のＤＢに保存されていない服飾品および装飾品をデジタルカメラで撮影して得た服飾品データおよび装飾品データを前記携帯情報通信端末または前記情報通信端末から該服飾メーカまたは該小売店舗の該ＤＢにアップロードして登録するステップを有することを特徴とするモバイルコーディネートサービス方法。
【請求項４】
請求項１から３のいずれか１項に記載のモバイルコーディネートサービス方法において、さらに、
前記携帯情報通信端末または前記情報通信端末により、該服飾メーカまたは小売店舗またはＥＣサイトの服飾品または装飾品の商品在庫情報をメタデータに基づくキーワード検索により、服飾品または装飾品の在庫情報を収集するステップを有することを特徴とするモバイルコーディネートサービス方法。
【請求項５】
請求項１から４のいずれか１項に記載のモバイルコーディネートサービス方法において、さらに、
前記小売店舗で購入したい服飾品および装飾品の値札に添付しているＩＤ番号を前記携帯情報通信端末または前記情報通信端末から前記サービス提供事業者のサーバシステムのマッチングソフトウェアにアップロードするステップと、前記マッチングソフトウェアが前記ＩＤ番号から該当する小売店舗を判別し、該小売店舗のＤＢから服飾品または装飾品の画像データを検索するステップを有することを特徴とするモバイルコーディネートサービス方法。
【請求項６】
請求項１から５のいずれか１項に記載のモバイルコーディネートサービス方法において、さらに、
前記服飾メーカまたは該小売店舗の装置からの要求により、最新トレンドによる服飾品または装飾品と前記利用者が所有する前記服飾品または装飾品とのコーディネート事例を生成して前記携帯情報通信端末または前記情報通信端末に対して紹介するステップを有することを特徴とするモバイルコーディネートサービス方法。
【請求項７】
服飾メーカのサーバと、服飾メーカのＤＢと、サービス提供事業者のサーバシステムと、小売店舗のＤＢと、利用者の携帯情報通信端末または情報通信端末とを具備するモバイルコーディネートサービスシステムであって、
前記利用者の携帯情報通信端末または情報通信端末は、当該利用者が所有する服飾品データまたは装飾品データを前記服飾メーカのＤＢまたは前記サービス提供事業者が有する該サーバシステムの個人情報ＤＢにアップロードする手段と、前記服飾メーカのＤＢまたは前記サーバシステムの個人情報ＤＢにアクセスし、当該利用者が所有する服飾品または装飾品の画像を読み出すとともに、前記服飾メーカまたは小売店舗またはＥＣサイトの服飾品画像または装飾品画像をメタデータに基づくキーワード検索により収集する手段を有し、
前記サービス提供事業者が有する該サーバシステムは、前記読み出した利用者が所有する服飾品または装飾品の画像と、前記収集した服飾メーカまたは小売店舗またはＥＣサイトの服飾品画像または装飾品画像とをコーディネートする手段と、前記コーディネートした服飾品または装飾品の画像情報を前記携帯情報通信端末または該情報通信端末にダウンロードする手段とを有することを特徴とするモバイルコーディネートサービスシステム。
【請求項８】
請求項７記載のモバイルコーディネートサービスシステムにおいて、さらに、
前記携帯情報通信端末または前記情報通信端末から前記服飾メーカのＤＢまたは前記サーバシステムの個人情報ＤＢにアクセスし、当該利用者が所有する服飾品または装飾品の画像を読み出して表示する手段を有することを特徴とするモバイルコーディネートサービスシステム。
【請求項９】
請求項７または８記載のモバイルコーディネートサービスシステムにおいて、さらに、
前記服飾メーカまたは前記小売店舗のＤＢに保存されていない服飾品および装飾品をデジタルカメラで撮影して得た服飾品データおよび装飾品データを前記携帯情報通信端末または前記情報通信端末から該服飾メーカまたは該小売店舗の該ＤＢにアップロードして登録する手段を有することを特徴とするモバイルコーディネートサービスシステム。
【請求項１０】
請求項７から９のいずれか１項に記載のモバイルコーディネートサービスシステムにおいて、さらに、
前記携帯情報通信端末または前記情報通信端末により、該服飾メーカまたは小売店舗またはＥＣサイトの服飾品または装飾品の商品在庫情報をメタデータに基づくキーワード検索により、服飾品または装飾品の在庫情報を収集する手段を有することを特徴とするモバイルコーディネートサービスシステム。
【請求項１１】
請求項７から１０のいずれか１項に記載のモバイルコーディネートサービスシステムにおいて、さらに、
前記小売店舗で購入したい服飾品および装飾品の値札に添付しているＩＤ番号を前記携帯情報通信端末または前記情報通信端末から前記サービス提供事業者のサーバシステムのマッチングプログラムにアップロードする手段と、前記マッチングプログラムが前記ＩＤ番号から該当する小売店舗を判別し、該小売店舗のＤＢから服飾品または装飾品の画像データを検索する手段を有することを特徴とするモバイルコーディネートサービスシステム。
【請求項１２】
請求項７から１１のいずれか１項に記載のモバイルコーディネートサービスシステムにおいて、さらに、
前記服飾メーカまたは該小売店舗の装置から要求があった場合、最新トレンドによる服飾品または装飾品と前記利用者が所有する前記服飾品または装飾品とのコーディネート事例を生成して前記携帯情報通信端末または前記情報通信端末に送出する手段を有することを特徴とするモバイルコーディネートサービスシステム。
【請求項１３】
請求項１１記載のモバイルコーディネートサービスシステムにおける前記サービス提供事業者のサーバシステムで実行されるマッチングプログラムであって、
前記個人情報ＤＢと在庫ＤＢの服飾品または装飾品の画像をメタデータに基づいて検索する機能と、前記服飾品または前記装飾品の値札に添付しているＩＤ番号に基づき検索する機能と、該検索により収集した服飾品または装飾品の画像で利用者情報を基に作成した人形にコーディネートする機能と、該コーディネートした人形の画像情報を受信端末の受信能力に応じて解像度を最適化し送信する機能と、利用者が登録する顔写真や体型情報から利用者を的確に表現した人形を作成する機能と、前記服飾メーカが保持する服飾品画像または前記利用者によって撮影された服飾品画像の特徴を認識し、低レベルな視覚的記述子を自動検出しメタデータを作成する機能とを実現するマッチングプログラム。
【発明の詳細な説明】
【技術分野】
【０００１】
本発明は、利用者が所有する服飾品または装飾品と服飾メーカや小売店舗が提供する服飾品または装飾品とをコーディネートして利用者に提供するモバイルコーディネートサービス方法、モバイルコーディネートサービスシステム、およびそれに用いるマッチングプログラムに関する。
【背景技術】
【０００２】
利用者は、婦人服または紳士服等服飾品または装飾品を購入する場合、例えばジャケットとパンツまたはズボンまたはスカートなど服飾品の上下の組み合わせ、ネックレスと指輪またはブローチ等装飾品で服飾品との組み合わせ、または靴や鞄を変えた時の組み合わせ等を考慮して購入するが、それらの組み合わせ（コーディネート）の良否を適切に判断して購入することはむずかしかった。
【０００３】
その要因としては、外出先では利用者の所有物（服飾品または装飾品など）を明確に記憶していないためイメージとして完全に把握できないことと、また利用者がイメージする服飾品または装飾品がどこの小売店舗で発売しているか判らないことに起因している。
【０００４】
従来、ＩＰ網を利用してコーディネートの支援するシステム等はあったが、利用者が最も必要とする外出先での服飾品または装飾品のコーディネートを実現するサービスは無かった。
【０００５】
関連する文献としては、特開２００２―２１５７７０号公報（特許文献１）「コーディネートサービス方法、サービスセンタ及びプログラム」があるが、これは、サービスセンタは利用者が所有する服飾品について、服飾品の画像を含むアイテムデータをユーザ端末から取得してＤＢ（Data Base）に登録し、服飾アイテムに組み合わせて組み合わせ内容を示すコーディネート情報を作成しユーザ端末に供給する方法である。
【０００６】
また、特開２００２−７４０３８号公報（特許文献２）「商品獲得方法および商品獲得装置、並びにモデル決定方法およびモデル決定装置」があるが、これは、自分の体型に合ったモデルを自動的に選択し、各モデルがインターネット上のホームページに記載されている全商品を身につけた画像がメモリに蓄積されており、メモリの中からグッズを身につけたモデルの画像を選択し、利用者は商品を決定する方法である。
【０００７】
【特許文献１】特開２００２―２１５７７０号公報
【特許文献２】特開２００２−７４０３８号公報
【発明の開示】
【発明が解決しようとする課題】
【０００８】
しかしながら、コーディネートする対象は利用者の所有する服飾品または装飾品のみであり、利用者が小売店舗にある在庫の服飾品情報をメタデータに基づくキーワード検索により収集することと、小売店舗で好みの服飾品または装飾品を見つけて値札に添付しているＩＤ番号を携帯電話またはＰＤＡ（Personal Digital Assistants）等の携帯情報通信端末または携帯情報通信端末からサービス提供事業者にアップロードし、利用者が持っている服飾品または装飾品とのコーディネートした全体画像を閲覧することはできなかった。
【０００９】
また小売店舗または服飾メーカ等の商品在庫状況を把握し、服飾メーカの最新トレンドによる新情報を入手し、サービス事業者のサーバシステムを含めトータルに服飾品および装飾品の購入をするシステムも無かった。
【００１０】
そこで、本発明は、利用者に対しては、所有している服飾品または装飾品を外出先でどこからでもリアルタイムに携帯電話またはＰＤＡ等携帯情報通信端末または情報通信端末から閲覧することを可能とし、更に利用者が有する服飾品および装飾品とのコーディネートを可能とし、コーディネートした全体画像を閲覧することを可能にするモバイルコーディネートサービス方法、モバイルコーディネートサービスシステム、およびそれに用いるマッチングプログラムを提供することを目的としている。
【課題を解決するための手段】
【００１１】
上記目的を達成するために、本発明のモバイルコーディネートサービス方法は、
服飾メーカのサーバと、服飾メーカのＤＢ（Data Base）と、サービス提供事業者のサーバシステムと、小売店舗のＤＢと、利用者の携帯情報通信端末または情報通信端末とを使用するモバイルコーディネートサービス方法であって、利用者の携帯情報通信端末または情報通信端末を用いて、当該利用者が所有する服飾品データまたは装飾品データを服飾メーカのＤＢまたはサービス提供事業者が有する該サーバシステムの個人情報ＤＢにアップロードするステップと、携帯情報通信端末または該情報通信端末から服飾メーカのＤＢまたはサーバシステムの個人情報ＤＢにアクセスし、当該利用者が所有する服飾品または装飾品の画像を読み出すとともに、服飾メーカまたは小売店舗またはＥＣサイトの服飾品画像または装飾品画像をメタデータに基づくキーワード検索により収集するステップと、サービス提供事業者が有する該サーバシステムにおいて、読み出した利用者が所有する服飾品または装飾品の画像と、収集した服飾メーカまたは小売店舗またはＥＣ（Electronic Commerce）サイトの服飾品画像または装飾品画像とをコーディネートするステップと、サービス提供事業者のサーバシステムからコーディネートした服飾品または装飾品の画像情報を携帯情報通信端末または該情報通信端末にダウンロードするステップとを有することを特徴としている（請求項１）。
【００１２】
さらに、携帯情報通信端末または該情報通信端末から服飾メーカのＤＢまたはサーバシステムの個人情報ＤＢにアクセスし、当該利用者が所有する服飾品または装飾品の画像を読み出して表示するステップを有することを特徴とする（請求項２）。
【００１３】
さらに、服飾メーカまたは小売店舗のＤＢに保存されていない服飾品および装飾品をデジタルカメラで撮影して得た服飾品データおよび装飾品データを携帯情報通信端末または情報通信端末から該服飾メーカまたは該小売店舗の該ＤＢにアップロードして登録するステップを有することを特徴とする（請求項３）。
【００１４】
さらに、携帯情報通信端末または情報通信端末により、該服飾メーカまたは小売店舗またはＥＣサイトの服飾品または装飾品の商品在庫情報をメタデータに基づくキーワード検索により、服飾品または装飾品の在庫情報を収集するステップを有することを特徴とする（請求項４）。
【００１５】
さらに、小売店舗で購入したい服飾品および装飾品の値札に添付しているＩＤ番号を携帯情報通信端末または情報通信端末からサービス提供事業者のサーバシステムのマッチングソフトウェアにアップロードするステップと、マッチングソフトウェアがＩＤ番号から該当する小売店舗を判別し、該小売店舗のＤＢから服飾品または装飾品の画像データを検索するステップを有することを特徴とする（請求項５）。
【００１６】
さらに、服飾メーカまたは小売店舗の装置からの要求により、最新トレンドによる服飾品または装飾品と前記利用者が所有する前記服飾品または装飾品とのコーディネート事例を生成して携帯情報通信端末または情報通信端末に対して紹介するステップを有することを特徴とする（請求項６）。
【００１７】
また、本発明のモバイルコーディネートサービスシステムは、服飾メーカのサーバと、服飾メーカのＤＢと、サービス提供事業者のサーバシステムと、小売店舗のＤＢと、利用者の携帯情報通信端末または情報通信端末とを具備するモバイルコーディネートサービスシステムであって、利用者の携帯情報通信端末または情報通信端末は、当該利用者が所有する服飾品データまたは装飾品データを服飾メーカのＤＢまたはサービス提供事業者が有する該サーバシステムの個人情報ＤＢにアップロードする手段と、服飾メーカのＤＢまたはサーバシステムの個人情報ＤＢにアクセスし、当該利用者が所有する服飾品または装飾品の画像を読み出すとともに、服飾メーカまたは小売店舗またはＥＣサイトの服飾品画像または装飾品画像をメタデータに基づくキーワード検索により収集する手段を有し、サービス提供事業者が有する該サーバシステムは、読み出した利用者が所有する服飾品または装飾品の画像と、収集した服飾メーカまたは小売店舗またはＥＣサイトの服飾品画像または装飾品画像とをコーディネートする手段と、コーディネートした服飾品または装飾品の画像情報を携帯情報通信端末または情報通信端末にダウンロードする手段とを有することを特徴とする（請求項７）。
【００１８】
さらに、携帯情報通信端末または情報通信端末から服飾メーカのＤＢまたはサーバシステムの個人情報ＤＢにアクセスし、当該利用者が所有する服飾品または装飾品の画像を読み出して表示する手段を有することを特徴とする（請求項８）。
【００１９】
さらに、服飾メーカまたは小売店舗のＤＢに保存されていない服飾品および装飾品をデジタルカメラで撮影して得た服飾品データおよび装飾品データを携帯情報通信端末または情報通信端末から該服飾メーカまたは該小売店舗の該ＤＢにアップロードして登録する手段を有することを特徴とする（請求項９）。
【００２０】
さらに、携帯情報通信端末または情報通信端末により、該服飾メーカまたは小売店舗またはＥＣサイトの服飾品または装飾品の商品在庫情報をメタデータに基づくキーワード検索により、服飾品または装飾品の在庫情報を収集する手段を有することを特徴とする（請求項１０）。
【００２１】
さらに、小売店舗で購入したい服飾品および装飾品の値札に添付しているＩＤ番号を携帯情報通信端末または情報通信端末からサービス提供事業者のサーバシステムのマッチングプログラムにアップロードする手段と、マッチングプログラムがＩＤ番号から該当する小売店舗を判別し、該小売店舗のＤＢから服飾品または装飾品の画像データを検索する手段を有することを特徴とする（請求項１１）。
【００２２】
さらに、服飾メーカまたは小売店舗の装置から要求があった場合、最新トレンドによる服飾品または装飾品と利用者が所有する服飾品または装飾品とのコーディネート事例を生成して携帯情報通信端末または前記情報通信端末に送出する手段を有することを特徴とする（請求項１２）。
【００２３】
本発明のマッチングプログラム、請求項１１記載のモバイルコーディネートサービスシステムにおけるサービス提供事業者のサーバシステムで実行されるマッチングプログラムであって、個人情報ＤＢと在庫ＤＢの服飾品または装飾品の画像をメタデータに基づいて検索する機能と、服飾品または装飾品の値札に添付しているＩＤ番号に基づき検索する機能と、該検索により収集した服飾品または装飾品の画像で利用者情報を基に作成した人形にコーディネートする機能と、該コーディネートした人形の画像情報を受信端末の受信能力に応じて解像度を最適化し送信する機能と、利用者が登録する顔写真や体型情報から利用者を的確に表現した人形を作成する機能と、服飾メーカが保持する服飾品画像または利用者によって撮影された服飾品画像の特徴を認識し、低レベルな視覚的記述子（例えば色）を自動検出しメタデータを作成する機能とを実現するものである（請求項１３）。
【発明の効果】
【００２４】
服飾品または装飾品の購入時に、特に女性はコーディネートや服飾品または装飾品の探しで悩むことが多いが、本発明によればそのような悩みを解決する。具体的には、次のような効果がある。
【００２５】
（ａ）利用者が所有している服飾品および装飾品情報をどこからでも自由にリアルタイムに携帯電話またはＰＤＡ等携帯情報通信端末または情報通信端末で閲覧を可能とし、更に小売店舗または装飾メーカの装飾品または装飾品等の商品在庫情報をメタデータにより簡易に検索し、利用者が有する服飾品および装飾品とのコーディネートを可能とすることにより、利用者の買い物の促進と、エレクトロニックコマース市場の進出への促進になる。
【００２６】
（ｂ）複数の利用者が本コーディネートサービスを利用することにより、服飾品および装飾品等の服飾メーカまたは小売店舗およびエレクトロニックコマースサイト等の売り上げ増加の推進となる。
【００２７】
（ｃ）利用者は、外出先または利用者宅のどこからでも小売店舗や服飾メーカの服飾品または装飾品および最新トレンドの服飾品または装飾品等の嗜好情報を収集し、コーディネートした全体画像を閲覧することができる。
【００２８】
（ｄ）服飾品または装飾品等の服飾メーカまたは小売店舗は、利用者の好みや流行などの服飾品または装飾品情報を入手することにより、利用者の趣味嗜好に合わせたターゲット広告の実現をすることができる。
【００２９】
（ｅ）海外出張等で赴任している家族または身体障害者または家族の中で忙しくて直接服飾品または装飾品の購入ができない場合は、本サービスを利用してコーディネート画像で決定し、家族や知人に依頼し小売店舗または服飾メーカから商品購入をすることが可能である。
【発明を実施するための最良の形態】
【００３０】
本発明では、利用者は外出先で購入したい服飾品または装飾品の値札に添付しているＩＤ番号を携帯情報通信端末または情報通信端末でサービス提供事業者のサーバシステムのマッチングソフトにアップロードすることにより、該マッチングソフトは値札ＩＤ番号から該当する服飾品または装飾品の画像データを検索し、利用者が所有する服飾品または装飾品とコーディネートを可能とし、利用者は、小売店舗の服飾品または装飾品の在庫情報をメタデータに基づくキーワード検索により、服飾品または装飾品の在庫情報を収集して利用者が所有している服飾品または装飾品とのコーディネートを閲覧することができる。
【実施例】
【００３１】
図１は、本発明に係るモバイルコーディネートサービスシステムの実施例の概要図である。
【００３２】
同図に示すように、本実施例のモバイルコーディネートサービスシステムは、ＩＰ網１７と、サービス提供事業者１と、サーバ２，在庫情報ＤＢ３，個人情報ＤＢ４，およびマッチングソフトウェア５とからなるサービス提供事業者１のサーバシステム６と、服飾メーカ１４と、該服飾メーカ１４のサーバ１５と、該服飾メーカ１４のＤＢ１６と、小売店舗１２と、該小売店舗１２のＤＢ１３と、利用者１０と、該利用者１０の携帯電話７またはＰＤＡ８等の携帯情報通信端末９と情報通信端末１１とを含んでいる。
【００３３】
利用者１０は、該利用者１０の携帯電話７またはＰＤＡ８等の携帯情報通信端末９と情報通信端末１１により、自分が所有している服飾品または装飾品を服飾メーカ１４のＤＢ１６またはサービス提供事業者１が有するサーバシステム６の個人情報ＤＢ４にアップロードする。これは後に閲覧することが可能である。また利用者１０の顔写真と身長とバストとウェスト等の体型データをサーバシステム６にアップロードし、個人情報ＤＢ４に登録をする。
【００３４】
服飾品または装飾品など販売する小売店舗１２は、販売拡大のために販売している服飾品または装飾品コンテンツのメタデータ作成と、在庫情報の在庫リストデータ作成と、趣味嗜好に合わせたターゲット広告等を作成し、ＤＢ１３に保存し、サービス提供事業者１のサーバシステム６の在庫情報ＤＢ３に送信して保存をする。
【００３５】
服飾メーカ１４は、自社のブランド品拡販のため、最新トレンドの服飾品または販売したい服飾品の形と色と柄等の服飾コンテンツのメタデータを作成し、服飾メーカ１４のサーバ１５に保存し、サービス提供事業者１のサーバシステム６のサーバ２に送信し、在庫情報ＤＢ３と個人情報ＤＢ４に登録する。
【００３６】
サービス提供事業者１は、各々の小売店舗１２の店舗別在庫リストを管理する在庫情報ＤＢ３と、利用者１０の個人情報と所有する服飾品データまたは装飾品データを管理する個人情報ＤＢ４と、在庫情報ＤＢ３から服飾品または装飾品の画像をメタデータまたはＩＤ番号を基に検索する機能や収集した服飾品の画像を利用者１０の情報を基に作成した人形に自由に着せ替えをする機能等を持つマッチングプログラム（以下、マッチングソフトウェアという。図では簡単のために「マッチングソフト」と記す）５とを含むサーバシステム６を有し、且つ利用者１０と服飾メーカ１４と小売店舗１２からコーディネートサービスの利用料金を徴収し、コーディネートサービス提供をしている。
【００３７】
服飾メーカ１４は、服飾品のコンテンツに対して、服飾品の形＝ジャケット、色＝黒、柄＝無し、サイズ＝Ｍなどのメタデータを付加しておく。
【００３８】
利用者１０は、服飾メーカ１４のＤＢ１６またはサービス提供事業者１のサーバシステム６内の在庫情報ＤＢ３から服飾品または装飾品情報をメタデータに基づいて要求するキーワードの検索をサーバシステム６内のマッチングソフトウェア５に入力することにより、該当するメタデータを持つ服飾品の情報を収集し、個人情報ＤＢ４の利用者１０の持ち服飾品データとを検索し、該当した服飾品とコーディネートした画像を外出先で携帯電話７およびＰＤＡ８等携帯情報通信端末９または情報通信端末１１からすぐ閲覧をすることが可能となる（請求項７）。
【００３９】
また、本発明のモバイルコーディネートサービス方法の実施例によれば、ＩＰ網１７とサービス提供事業者１と該サービス提供事業者１のサーバ２と在庫情報ＤＢ３と個人情報ＤＢ４とマッチングソフトウェア５とならなるサーバシステム６と服飾メーカ１４と該服飾メーカ１４のサーバ１５とＤＢ１６と小売店舗１２と該ＤＢ１３と利用者１０と利用者１０の携帯電話７またはＰＤＡ８等の携帯情報通信端末９と情報通信端末１１とを含むモバイルコーディネートサービス方法において、利用者１０は、図１に示すコーディネートサービスシステムを利用することにより、外出先のどこからでもリアルタイムに携帯電話７およびＰＤＡ８等携帯情報通信端末９と情報通信端末１１からアクセスをして服飾品または装飾品情報を閲覧することが可能であり、服飾メーカ１４は服飾品のコンテンツに対して服飾品の色＝黒、形：ジャケット、柄＝無し、サイズ＝Ｍなどのメタデータを付加するので、利用者１０は服飾メーカ１４のＤＢ１６またはサービス提供事業者１のサーバシステム６内の在庫情報ＤＢ３から服飾品商品服飾品の形＝ジャケット、色＝黒、柄＝無し、サイズ＝Ｍなどのメタデータ、または装飾品商品のメタデータに基づくキーワード検索をマッチングソフトウェア５に入力することにより、該当するメタデータを持つ服飾品の情報を収集し、個人情報ＤＢ４の利用者１０の持ち服飾品データと検索し、該当した服飾品とコーディネートした画像を外出先で携帯電話７およびＰＤＡ８等携帯情報通信端末９または情報通信端末１１からすぐ閲覧をすることが可能となる（請求項１）。
【００４０】
利用者１０は、外出先のどこからでもリアルタイムに携帯電話７またはＰＤＡ８等携帯情報通信端末９と情報通信端末１１でアクセスして自分が所有する服飾品または装飾品情報を閲覧することが可能である（請求項２、８）。
【００４１】
図２は、サービス提供事業者１がコーディネートサービスするサーバシステム６の具体的構成を示す図である。
【００４２】
同図に示すように、サービス提供事業者１のサーバシステム６は、サーバ２と個人情報ＤＢ４と在庫情報ＤＢ３とマッチングソフトウェア５との構成になっており、個人情報ＤＢ４には、複数の利用者１０の持ち服飾品または装飾品のデータと、身長、バスト、ウェスト等の利用者１０の個人情報と、利用者１０が所有の服飾品または装飾品の画像データと、利用者１０が選択した服飾メーカ１４の販売商品の販売商品データ情報１９が保存されている。また個人情報ＤＢ４内にはマッチングソフトウェア５と連動する機能が内蔵されている。
【００４３】
在庫情報ＤＢ３には、複数の小売店舗１２が販売する服飾品の店舗別の在庫リスト情報がダウンロードし保存されており、且つ、利用者１０が選択した服飾メーカ１４の服飾品の形：ジャケットと色：黒と柄：無しとサイズ：Ｍ等の販売商品データ１９がダウンロードされ保存されている。また在庫情報ＤＢ３内にはマッチングソフトウェア５と連動する機能が内蔵されている。
【００４４】
マッチングソフトウェア５は、多くのコーディネートする機能を有しており、利用者１０が個人情報ＤＢ４と小売店舗１２のＤＢ１３から服飾品または装飾品などの画像をメタデータまたはＩＤ番号を基にキーワード検索する機能と、収集した服飾品画像または装飾品画像を利用者１０の服飾品または装飾品の情報を基に作成した人形２１に自由に着せ替えをする機能と、着せ替えをした人形２１の画像情報を利用者１０の携帯電話７またはＰＤＡ８等の携帯情報通信端末９または情報通信端末１１の受信能力に応じて解像度などを最適化して送信する機能と、利用者１０が登録する顔写真と体型情報から的確に利用者１０を表現した人形２１を作成する機能と、服飾メーカ１４が保持する服飾品または装飾品の画像と、外出先で利用者１０がデジタル撮影した服飾品画像の特徴を認識し、低レベルな視覚的記述子（少ないビットで表される視覚的記述子、例えば「色」）を自動で抽出してメタデータを作成する機能とを有している（請求項１３）
【００４５】
ここで、本発明における「メタデータ」とは、コンテンツデータに関するデーダであり、コンテンツに対してさまざまな観点からの情報が付与される。コンテンツの内容を何らかの形で記号化したものでであり、記号化されたデータを扱うことにより、高度なコンピュータ処理が可能なデータである。ここでは利用者１０が服飾メーカ１４の販売商品データ１９または小売店舗１２のＤＢ１３からメタデータによるキーワード検索により、服飾品の形：ジャケットと色：黒と柄：無しとサイズ：Ｍ等のメタデータをマッチングソフトウェア５に入力して検索し、利用者１０の要求に対応した服飾品のコーディネート画像を閲覧することが可能である。
【００４６】
サーバシステム６内のマッチングソフトウェア５と利用者１０の携帯情報通信端末９または情報通信端末１１には顔写真と体型データに基づいた人形２１が記憶されており、個人の顔写真と体型データに基づいた人形２１に服飾品を着せ替えコーディネートすることが可能である。
【００４７】
本サービスを利用する場合、利用者１０と小売店舗１２と服飾メーカ１４は、サービス提供事業者１にコーディネートサービス利用の登録をし、毎月または定期的に利用したコーディネートサービス料金を支払いし、利用者１０は銀行またはクレジット会社等金融機関から引き落としされ、サービス提供事業者１はサービス収益を得ることが可能である。
【００４８】
図２において、利用者１０は、外出先から携帯電話７またはＰＤＡ８等の携帯情報通信端末９または情報通信端末１１で小売店舗１２またはＥＣサイト等の服飾品または装飾品の在庫情報をメタデータに基づくキーワード検索により、在庫情報を収集することが可能であり、利用者１０が所有している服飾品または装飾品と利用者１０の体型に合ったコーディネートした全体画像を閲覧することが可能である。メタデータに基づくキーワード検索の実施形態は、服飾メーカ１４またはサービス提供事業者１が服飾品または装飾品の画像に対して、形と色とサイズと柄等のメタデータを付加する。この作業はマッチングソフトウェア５による自動実行も可能である。
【００４９】
小売店舗１２のＤＢ１３には、服飾品または装飾品の画像と共にメタデータが作成保存されており、またサービス提供事業者１の在庫情報ＤＢ３にも小売店舗１２の服飾品装飾品のメタデータが登録されている。
【００５０】
利用者１０は、服飾品の形＝ジャケット、色＝黒、柄＝無し、サイズ＝Ｍ等のメタデータのキーワードをサーバシステム６のマッチングソフトウェア５に入力し、マッチングソフトウェア５は、入力キーワードに該当するメタデータを持つ服飾品の画像を検索し、利用者１０が個人情報ＤＢ４に登録している持ち服飾品とコーディネートをして利用者１０の要求に合った全体画像を提示して利用者１０が閲覧することが可能となる（請求項４、１０）。
【００５１】
利用者１０は、携帯電話７またはＰＤＡ８等の携帯情報通信端末９と情報通信端末１１の画像表示能力に応じて服飾品または服飾品の画像を送受信することが可能である。携帯情報通信端末９または情報通信端末１１を認識し服飾品画像を変更して送信する機能としては、サービス提供事業者１が一つの服飾画像に対し、複数のサイズや解像度の異なる画像を用意する。
【００５２】
利用者１０がアクセス時に、携帯情報通信端末９と情報通信端末１１の利用ネットワークや種類などからサービス提供事業者１が用意した複数のサイズや解像度の異なる画像から最適な画像を選択し送信することができる。
【００５３】
服飾メーカ１４または小売店舗１２は、服飾品または装飾品に対して、それぞれの服飾品または装飾品が一意に識別する識別子を値札に付け、識別子は携帯情報通信端末９またはＰＤＡ等携帯情報通信端末９から簡単にアクセスできるＩＤ番号になっている。
【００５４】
服飾メーカ１４または小売店舗１２は、服飾品または装飾品を制作した時点で値札にＩＤ番号を付け、服飾メーカ１４のＤＢ１６または小売店舗１２のＤＢ１３に服飾品画像に一意のＩＤ番号がふられている。
【００５５】
値札ＩＤ番号の構成要素は、小売店舗１２を示す値と、小売店舗１２内で重複無く一意に振られた服飾品を示す値とである。
【００５６】
利用者１０は、外出先の小売店舗１２で購入したい好みの服飾品または装飾品を見つけ、該服飾品の値札に付いているＩＤ番号をサービス提供事業者１が有するサーバシステム６のマッチングソフトウェア５に携帯電話７またはＰＤＡ８等の携帯情報通信端末９からアクセスしてマッチングソフトウェア５に対し入力をする。
【００５７】
マッチングソフトウェア５は、一元管理された小売店舗１２と該ＩＤ番号を示す表から値札ＩＤ番号をもとに該小売店舗１２を判別し、該小売店舗１２のＤＢ１３から該当ＩＤ番号をふられた服飾品の画像を検索する。
【００５８】
個人情報ＤＢ４内の利用者１０の持ち服飾品とコーディネートをして利用者１０の要求に合った全体画像を提示し、利用者１０が外出先で全体画像を閲覧することが可能となる（請求項５、１１）。
【００５９】
服飾メーカ１４のＤＢ１６または小売店舗１２のＤＢ１３に登録されていない服飾品または装飾品がある場合に利用者１０は、体型に合った好みの服飾品または装飾品をデジタルカメラまたはデジタル映像機器などで撮影し、撮った該画像を携帯電話７またはＰＤＡ８等の携帯情報通信端末９または情報通信端末１１から服飾メーカ１４のＤＢ１６または小売店舗１２のＤＢ１３にアップロードし、該服飾品データまたは装飾品データを登録することが可能であり、携帯情報通信端末９または情報通信端末１１に保存することが可能である。（請求項３、９）
【００６０】
服飾メーカ１４または小売店舗１２は、最新トレンドに合わせた最近流行の服飾品または装飾品をサービス提供事業者１のサーバシステム６に送信して在庫情報ＤＢ３に登録し、個人情報ＤＢ４内の利用者１０が所有する服飾品または装飾品と最新トレンドに合わせた服飾品または装飾品とをコーディネートし、その全体画像の実例を利用者１０に紹介することが可能である。
【００６１】
最新トレンドに合わせた最近流行の服飾品または装飾品とコーディネートして紹介し、利用者１０が購入することにより、服飾メーカ１４または小売店舗１２は販売促進の増強を図ることが可能である。
【００６２】
また、最新トレンド情報を提供することで利用者の好みや情報が入手されることにより、小売店舗１２または服飾メーカ１４は趣味嗜好に合わせた広告を実現することが可能なサービス方法である。（請求項６、１２）
【００６３】
図３は、服飾品または装飾品のコーディネートサービスを示すフローチャート図である。
【００６４】
（Ａ）まず、サービス提供事業者１の個人情報ＤＢ４の作成するフローを説明する（図３の最上段）。
（ａ）利用者１０は、服飾メーカ１４のＤＢ１６を検索し、服飾品および装飾品の画像を収集する。またサービス提供事業者１は服飾メーカ１４のＤＢ１６から服飾品および装飾品の画像を収集する。
【００６５】
（ｂ）服飾メーカ１４は、服飾品および装飾品の画像をダウンロードする。
（ｃ）利用者１０は、服飾メーカ１４のＤＢ１６または小売店舗１２のＤＢ１３に無い服飾品および装飾品の画像をアップロードする。
（ｄ）利用者１０が所有している服飾品および装飾品をサービス提供事業者１の個人情報ＤＢ４に登録をする。
【００６６】
（Ｂ）次に、サービス提供事業者１の在庫情報ＤＢ４の作成するフローを説明する（図３の中段）。
（ｅ）小売店舗１２は、服飾メーカ１４のＤＢ１６から在庫に基づく服飾品および装飾品の画像を収集する。またサービス提供事業者１は、服飾メーカ１４のＤＢ１６から服飾品および装飾品の画像を収集する。
【００６７】
（ｆ）服飾メーカ１４は、サービス提供事業者１に服飾品および装飾品の画像をダウンロードする。
（ｇ）小売店舗１２は、サービス提供事業者１の在庫情報ＤＢ３に在庫情報の登録をする。
【００６８】
（Ｃ）利用者１０が利用者宅または外出先で携帯電話７またはＰＤＡ８等の携帯通信端末９と情報通信端末１１から服飾品および装飾品を検索するフローを説明する（図３の最下段）。
【００６９】
（Ｃ−１）利用者１０が利用者宅で服飾品および装飾品の検索しコーディネートをする場合である。
（ｈ）利用者１０は要求する服飾品および装飾品のキーワードをサーバシステム６のマッチングソフトウェア５に入力する。
【００７０】
（ｉ）サービス提供事業者１のサーバシステム６は、マッチングソフトウェア５による在庫情報ＤＢ３の検索と、該当する服飾品または装飾品画像の人形への着せ替えしてコーディネートをする。
（ｊ）サービス提供事業者１は、利用者１０の要求する服飾品または装飾品のコーディネートした画像を利用者１０の携帯情報通信端末９と情報通信端末１１にダウンロードする。
【００７１】
（Ｃ−２）次に、利用者１０が外出先で服飾品および装飾品の検索しコーディネートをする場合のフローを説明する（図３の最下段）。
（ｋ）利用者１０は、小売店舗１２または装飾メーカ１４の服飾品または装飾品の値札に付いている値札ＩＤ番号をマッチングソフトウェア５に入力する。
【００７２】
（ｌ）サービス提供事業者１のサーバシステム６は、マッチングソフトウェア５による在庫情報ＤＢ３の検索と、該当する服飾品または装飾品画像の人形に着せ替えをしてコーディネートする。
（ｍ）サービス提供事業者１は、利用者１０の要求する服飾品または装飾品のコーディネートした画像を利用者１０の携帯情報通信端末９と情報通信端末１１にダウンロードする。
【００７３】
なお、サービス提供事業者１の所有する在庫情報ＤＢ３には、服飾品または装飾品の画像データが直接画像で保存されなくても良く、服飾メーカ１４のＤＢ１６または小売店舗１２のＤＢ１３とリンクしたインデックス等の識別子による管理の方法で容量を少なくしてダウンロードする場合がある。
【００７４】
また、上述した処理、特にサービス提供事業者１のサーバシステム６に格納されるマッチングソフトウェア（マッチングプログラム）５は、ＣＤ−ＲＯＭ、ＦＤ、ＤＶＤなどのコンピュータ読み取り可能な記録媒体に記録して市場に頒布したり、インターネットを介して利用者に配布することが可能である。
【図面の簡単な説明】
【００７５】
【図１】本発明に係るモバイルコーディネートサービスシステムの実施例の概要図である。
【図２】サービス提供事業者がコーディネートサービスするサーバシステムの具体的構成を示す図である。
【図３】服飾品または装飾品のコーディネートサービスを示すフローチャート図である。
【符号の説明】
【００７６】
１：サービス提供事業者
２：サービス提供事業者のサーバ
３：サービス提供事業者のサーバシステムの在庫情報ＤＢ
４：サービス提供事業者のサーバシステムの個人情報ＤＢ
５：サーバシステムのマッチングソフトウェア（マッチングプログラム）
６：サービス提供事業者のサーバシステム
７：利用者の携帯電話
８：利用者のＰＤＡ
９：利用者の携帯情報通信端末
１０：利用者
１１：利用者の情報通信端末
１２：小売店舗
１３：小売店舗のＤＢ
１４：服飾メーカ
１５：服飾メーカのサーバ
１６：服飾メーカのＤＢ
１７：ＩＰ網
１８：在庫情報ＤＢ内の小売店舗別在庫リスト
１９：服飾メーカの販売商品データ
２０：個人情報ＤＢ内の個人情報と利用者が所有している服飾品または装飾品データ
２１：サーバシステムのマッチングソフトウェア内に登録されている利用者の人形
【図１】
2005133228.tif 000003
【図２】
2005133228.tif 000004
【図３】
2005133228.tif 000005